(57)【要約】【課題】壁全体の構造を総合的に把握でき、その良さを印象づけることができる壁の展示装置を提供する。【解決手段】装置本体２の上下にガイドレール３が設けられ、ガイドレール３には、摺動部材４が設けられ、ガイドレール３を二分するように、装置本体２の中央部に住宅建物の躯体１０が設けられ、住宅建物の壁１を構成する各構成要素のそれぞれが、前記摺動部材４を介して、躯体１０の両側に、それぞれ外壁１ａの構成要素と内壁１ｂの構成要素とに分けて設けられ、各構造要素は、ハンドル２０操作に連動する駆動機構によってガイドレール３をスライド移動することによって躯体１０に密着して住宅建物の正規の壁１の納まりを形成できるとともに、この正規の壁１の納まりから各構成要素が離隔して個々に構成要素を確認できる分解状態に形成できるようになされた壁１の展示装置。【選択図】  図１
2004205914.tif 000002
【特許請求の範囲】
【請求項１】
装置本体の上下にガイドレールが設けられるとともに、このガイドレールには、ガイドレールを摺動する摺動部材が設けられ、このガイドレールを二分するように、装置本体の中央部に住宅建物の躯体が設けられるとともに、住宅建物の壁を構成する各構成要素のそれぞれが、前記摺動部材を介して、躯体の両側に、それぞれ外壁の構成要素と内壁の構成要素とに分けて設けられ、
これら各構造要素は、装置本体に設けられたハンドルの操作に連動する駆動機構によってガイドレールをスライド移動することによって躯体に密着して住宅建物の正規の壁の納まりを形成できるようになされるとともに、この正規の壁の納まりから各構成要素が離隔して個々に構成要素を確認できる分解状態に形成できるようになされたことを特徴とする壁の展示装置。
【請求項２】
各構成要素は、それぞれ外壁、裏打ち鋼板、枠体および断熱材グラスボード、断熱グラスウールおよび枠体、石膏ボードとなされた請求項１記載の壁の展示装置。
【発明の詳細な説明】
【０００１】
【発明の属する技術分野】
本発明は、工業化住宅における壁の納まりを展示する装置に関するものである。
【０００２】
【従来の技術】
工業化住宅における壁は、優れた断熱性、防音性、耐火性、施工性などの性能が求められるため、数々の工夫を凝らした納まりで構成されている。
【０００３】
従来より、このような壁の構造の優位性を住宅の購入予定者に知らせるものとして、壁の内部構造を見せるようにしたカットサンプルや、内部構造を説明したカタログなどがあった。
【０００４】
【発明が解決しようとする課題】
しかし、壁の内部構造は、外壁と内壁とで覆われて隠れてしまっており、普段は目に着かないものであるため、カットサンプルを用いて説明したとしても、断面を部分的に見る事ができる程度であるため、誰にでも判るように容易に説明することができず、かつ、容易に理解してもらうことができない。
【０００５】
また、内部構造を説明したカタログの場合、カタログ自体を読んでもらわなければならず、カタログの内容を口頭で説明したとしても、壁の内部構造が平面的に紹介されているだけなので、説明に時間がかかり、容易に理解してもらうことができない。
【０００６】
さらに、カットサンプルやカタログでの説明の場合、壁構造の良さを印象づけることができないといった不都合を生じることとなる。
【０００７】
さらに、壁の取付方法を説明する場合、躯体に対して各工程毎に構成要素が取り付けられるため、カットサンプルやカタログでは説明しきれない。
【０００８】
本発明は、係る実情に鑑みてなされたものであって、壁全体の構造を総合的に把握でき、その良さを印象づけることができる壁の展示装置を提供することを目的としている。
【０００９】
【課題を解決するための手段】
上記課題を解決するための本発明の壁の展示装置は、装置本体の上下にガイドレールが設けられるとともに、このガイドレールには、ガイドレールを摺動する摺動部材が設けられ、このガイドレールを二分するように、装置本体の中央部に住宅建物の躯体が設けられるとともに、住宅建物の壁を構成する各構成要素のそれぞれが、前記摺動部材を介して、躯体の両側に、それぞれ外壁の構成要素と内壁の構成要素とに分けて設けられ、これら各構造要素は、装置本体に設けられたハンドルの操作に連動する駆動機構によってガイドレールをスライド移動することによって躯体に密着して住宅建物の正規の壁の納まりを形成できるようになされるとともに、この正規の壁の納まりから各構成要素が離隔して個々に構成要素を確認できる分解状態に形成できるようになされたものである。
【００１０】
また、上記壁の展示装置において、各構成要素は、それぞれ外壁、裏打ち鋼板、枠体および断熱材グラスボード、断熱グラスウールおよび枠体、石膏ボードとなされたものである。
【００１１】
【発明の実施の形態】
以下、本発明の実施の形態を図面を参照して説明する。
【００１２】
図１ないし図４は、壁１の展示装置の全体構成の概略を示し、図５は同展示装置によって壁１の各構成要素が離隔した状態と、密着して正規の納まりとなった状態とを示している。
【００１３】
すなわち、この壁１の展示装置は、装置本体２の上下にガイドレール３が設けられるとともに、このガイドレール３には、摺動部材４が設けられ、このガイドレール３を二分するように、装置本体２の中央部に住宅建物の躯体１０が設けられるとともに、住宅建物の壁１を構成する各構成要素のそれぞれが、前記摺動部材４を介して、躯体１０の両側に、それぞれ外壁１ａの構成要素と内壁１ｂの構成要素とに分けて設けられている。
【００１４】
壁１は、躯体１０を挟んで外壁１ａ側と内壁１ｂ側とに分けられている。躯体はリップ溝型鋼を矩形に枠組みして構成されている。
【００１５】
外壁１ａは、厚さ約１２ｍｍのセラミック外壁材１１の裏面に、鋼板１２を介して枠体１３が設けられている。枠体１３の内側には、厚さ約２３ｍｍの断熱材グラスボード１３ａが設けられている。
【００１６】
内壁１ｂは、矩形に枠組みされた木製の枠体１４の内側に厚さ約１００ｍｍの断熱材グラスウール１４ａを設け、この枠体１４の室内側の面に防湿シート１４ｂを介して石膏ボート１５を貼設して構成されている。
【００１７】
装置本体２は、重量鉄骨材から構成されており、奥行き約６５０ｍｍ、幅約１２５０ｍｍの矩形状に組まれた下枠２１および上枠２２のそれぞれ四隅を、柱２３で支持して高さ約２ｍの箱型に形成されている。装置本体２の両側面には、下枠２１と上枠２２との略中間位置で柱２３と柱２３との間をつなぐように中間桟２４が設けられている。また、装置本体２の両側面の下枠２１および上枠２２には、それぞれ一対のプーリー２５が設けられ、プーリー２５間には、幅方向にワイヤーロープ２６が架け渡されている。また、下枠２１およひ上枠２２に設けられたこれらプーリー２５は、上下で連動するように、それぞれシャフト２７で連結されている。これにより、装置本体２の手前側で下枠２１および上枠２２に設けられた四つのプーリー２５が連動し、装置本体２の奥側で下枠２１および上枠２２に設けられた四つのプーリー２５が連動するようになされている。これらのプーリー２５を連動させるシャフト２７は中間桟２４を通過することとなるが、このうち、一方の中間桟２４には、手前側のプーリー２５を連動させるシャフト２７にギアボックス２８が設けられ、他方の中間桟２４には、奥側のプーリー２５を連動させるシャフト２７にギアボックス２８が設けられている。これらギアボックス２８からは、シャフト２７に直交する方向で、かつ、装置本体２の正面側に向かって回転軸２９が延設され、これら回転軸２９の先端部にハンドル２０が設けられている。したがって、このハンドル２０を回すと、回転軸２９が回転してシャフト２７へ伝達され、装置本体２の手前側および奥側でそれぞれプーリー２５が連動して動き、矢符Ａに示すようにワイヤーロープ２６が装置本体２の幅方向に動くこととなる。
【００１８】
このようにして構成される装置本体２の中央部には、ワイヤーロープ２６の動き方向に対して直交して装置本体２を二分するように、上記した壁１を構成する躯体１０が設けられる。
【００１９】
ガイドレール３は、下枠２１および上枠２２の両側部間をそれぞれ架け渡すように、プーリー２５に架け渡されたワイヤーロープ２６に沿って設けられている。このガイレール３は、プーリー２５の前後に各一本設けられる。
【００２０】
摺動部材４は、ガイドレール３に対して入れ子式になったブッシュ部材からなり、ガイドレール３の長手方向に沿って摺動可能となさされている。この摺動部材４には、取付プレート４１を介して上記した壁１の各構成要素が取り付けられる。この際、装置本体２の中央部に設けられた躯体１０の一方側に外壁１ａの構成要素が設けられ、他方側に内壁１ｂの構成要素が設けられる。すなわち、躯体１０の一方側には、躯体１０に近い側から順に枠体１３、鋼版１２、セラミック外壁材１１の順に設けられ、躯体１０の他方側には、躯体１０から近い順に枠体１４、石膏ボード１５の順に設けられる。また、これらの各構成要素を取り付けた取付プレート４１のうち、外壁１ａの各構成要素は、装置本体２の奥側のプーリー２５に架け渡されたワイヤーロープ２６と係合し、ハンドル２０の操作に伴うワイヤーロープ２６の動きに応じて外壁１ａの各構成要素を躯体１０に密着して住宅建物の正規の壁１の納まりを形成した状態と、この正規の壁１の納まりから各構成要素が躯体１０から離隔して個々に確認できる分解状態とにできるようになされている。また、内壁１ｂの各構成要素は、装置本体２の手前側のプーリー２５に架け渡されたワイヤーロープ２６と係合し、ハンドル２０の操作に伴うワイヤーロープ２６の動きに応じて内壁１ｂの各構成要素を躯体１０に密着して住宅建物の正規の壁１の納まりを形成した状態と、この正規の壁１の納まりから各構成要素が躯体１０から離隔して個々に確認できる分解状態とにできるようになされている。
【００２１】
このようにして構成される壁１の展示装置は、住宅展示棟などに設置される。この壁１の展示装置は、装置本体２の正面に設けられたハンドル２０を回すことによって、躯体１０に密着して住宅建物の正規の納まりとなった壁１を外壁１ａおよび内壁１ｂの個々に、各構成要素毎に躯体１０から離隔させて、見学者に見せることができる。したがって、壁１の各構成要素の機能をより詳細に説明することができ、壁１の内部構造全体を容易に理解してもらうことができる。また、壁１の取付方法を説明する場合においても、容易に説明でき、説明する相手に容易に理解してもらうことができる。
【００２２】
また、ハンドル２０の操作によって壁１を正規の納まりから各構成要素が離隔した状態にしたり、また、この離隔した状態から正規の納まりに戻したりすることができるので、説明する相手に対して興味を引き、かつ、印象付けることができることとなる。
【００２３】
なお、本実施の形態において、壁１は、セラミック外壁材１１を用いた軽量鉄骨構造の壁１について構成されているが、壁１の構成要素としては、重量鉄骨住宅の壁や木造住宅の壁やその他の各種壁であってもよい。また、壁１以外にも、床、バルコニー、屋根などを同様にハンドル２０の操作で密着および離隔するように構成したものであってもよい。
【００２４】
また、本実施の形態では、壁１を構成する各構成要素は、水平方向にスライド移動して密着および離隔するようになされているが、垂直方向や斜め方向にスライド移動して密着および離隔するように構成したものであってもよい。
【００２５】
さらに、本実施の形態では、壁１は、装置本体２に設けた壁１の一部分が各構成要素毎に密着および離隔するようになされているが、装置本体２展示住宅自体として、展示住宅の一部がハンドル２０の操作によって密着および離隔するようになされたものであってもよい。
【００２６】
【発明の効果】
以上述べたように、本発明によると、ハンドルを操作することによって躯体に密着して住宅建物の正規の壁の納まりを形成したり、この正規の壁の納まりから各構成要素が離隔して個々に構成要素を確認できる分解状態に形成したりできるので、壁の各構成要素の機能やその取付方法などをより詳細に説明することができ、壁の内部構造や取付方法など壁に関すること全体を容易に把握することができる。
【００２７】
また、ハンドル操作によって壁を正規の納まりから各構成要素が離隔した状態にしたり、また、この離隔した状態から正規の納まりに戻したりすることができるので、説明する相手に対して興味を引き、かつ、印象付けることができることとなる。
【図面の簡単な説明】
【図１】本発明の壁の展示装置において、壁の各構成要素を離隔させた状態を示す正面図である。
【図２】本発明の壁の展示装置において、壁の各構成要素を密着させて正規の壁の納まりとした状態での正面垂直断面図である。
【図３】壁の展示装置における部分省略側面図である。
【図４】（ａ）は図３のI-I 線における部分省略断面図、（ｂ）は図３のII-II 線における部分省略断面図、（ｃ）は図３のIII-III 線における部分省略断面図である。
【図５】（ａ）は壁の各構成要素の離隔状態を示す部分省略断面図、（ｂ）は同壁の各構成要素が密着した正規の納まり状態を示す部分省略断面図である。
【符号の説明】
１  壁
１ａ  外壁
１ｂ  内壁
１０  躯体
１１  セラミック外壁材
１２  鋼板
１３  枠体
１３ａ  断熱材グラスボード
１４  枠体
１４ａ  断熱グラスウール
１５  石膏ボード
２  装置本体
２０  ハンドル
２５  プーリー（駆動機構）
２６  ワイヤーロープ（駆動機構）
２７  シャフト（駆動機構）
２８  ギアボックス（駆動機構）
２９  回転軸（駆動機構）
３  ガイドレール
４  摺動部材
【図１】
2004205914.tif 000003
【図２】
2004205914.tif 000004
【図３】
2004205914.tif 000005
【図４】
2004205914.tif 000006
【図５】
2004205914.tif 000007